(57)【要約】【課題】電圧に従って電力を割り当て得るのみならず、実際の要求に従っても電力を割り当て得る、電力管理方法を提供する。更に、電圧に従って電力を割り当て得るのみならず、実際の要求に従っても電力を割り当て得る、電力供給システムを提供する。【解決手段】電力提供装置と１つ又はそれよりも多くのシステムモジュールとを含む電子システムに適用される電力管理方法であって、電力提供装置は少なくとも１つのバッテリを含む。方法は、（ａ）電力提供装置の総電力量を決定すること、（ｂ）電子システムのシステム情報を取得すること、（ｃ）総電力量及びシステム情報に従って利用可能な電力量を決定すること、及び（ｄ）システム情報に基づき利用可能な電力量を１つ又はそれよりも多くのシステムモジュールに割り当てることを含む。【選択図】図２
2016170773.tif 000002
【特許請求の範囲】
【請求項１】
電力提供装置と１つ又はそれよりも多くのシステムモジュールとを含む電子システムに適用される電力管理方法であって、電力提供装置は、少なくとも１つのバッテリを含み、当該方法は、
（ａ）前記電力提供装置の総電力量を決定すること、
（ｂ）前記電子システムのシステム情報を取得すること、
（ｃ）前記総電力量及び前記システム情報に従って利用可能な電力量を決定すること、及び
（ｄ）前記システム情報に従って、前記利用可能な電力量を前記１つ又はそれよりも多くのシステムモジュールに割り当てることを含む、
電力管理方法。
【請求項２】
前記システム情報は、電流漏れ情報及び固定リソース量情報の一方又は両方を含み、前記ステップ（ｃ）は、前記総電力量と前記電流漏れ情報及び前記固定リソース量情報の一方又は両方とに従って前記利用可能な電力量を決定することを含む、請求項１に記載の電力管理方法。
【請求項３】
前記システム情報は、前記１つ又はそれよりも多くのシステムモジュールの１つ又はそれよりも多くのそれぞれの実時間動作条件／要件についての実時間システム動作情報を含み、前記ステップ（ｄ）は、前記実時間システム要件情報に従って、前記利用可能な電力量を前記１つ又はそれよりも多くのシステムモジュールに割り当てることを含む、請求項１に記載の電力管理方法。
【請求項４】
前記実時間システム要件情報は、前記１つ又はそれよりも多くのシステムモジュールの１つ又はそれよりも多くの実時間動作状態及び１つ又はそれよりも多くの予想動作状態の一方又は両方を含む、請求項１に記載の電力管理方法。
【請求項５】
前記実時間システム要件情報は、前記１つ又はそれよりも多くのシステムモジュールによって既に生成された１つ又はそれよりも多くのリクエスト及び所定の時間期間内に前記１つ又はそれよりも多くのシステムモジュールによって生成される１つ又はそれよりも多くのリクエストの一方又は両方についての情報を含む、請求項１に記載の電力管理方法。
【請求項６】
前記実時間システム動作情報は、前記１つ又はそれよりも多くののシステムモジュールによって処理されている１つ又はそれよりも多くのタスク及び所定の時間期間内で前記１つ又はそれよりも多くのシステムモジュールによって処理される１つ又はそれよりも多くのタスクの一方又は両方を含む、請求項１に記載の電力管理方法。
【請求項７】
前記ステップ（ａ）は、前記少なくとも１つのバッテリがもたらし得る最大電圧に少なくとも従って、前記総電力量を決定することを含む、請求項１に記載の電力管理方法。
【請求項８】
前記ステップ（ａ）は、前記少なくとも１つのバッテリがもたらし得る最大電圧に従って、更に、前記少なくとも１つのバッテリのエージング状態を示す少なくとも１つの要因に従って、前記総電力量を決定することを含む、請求項７に記載の電力管理方法。
【請求項９】
エージング状態を示す前記少なくとも１つの要因は、前記少なくとも１つのバッテリのインピーダンスを含む、請求項８に記載の電力管理方法。
【請求項１０】
前記ステップ（ａ）は、
前記少なくとも１つのバッテリが提供し得る最大電圧及び前記少なくとも１つのバッテリのエージング状態を示す前記少なくとも１つの要因に従って、更に、所定の閾電圧レベルに従って、前記総電力量を決定することを含む、
請求項９に記載の電力管理方法。
【請求項１１】
前記ステップ（ａ）は、
前記少なくとも１つのバッテリのエージング状態を示す少なくとも１つの要因に従って前記総電力量を決定することを含む、請求項１に記載の電力管理方法。
【請求項１２】
前記１つ又はそれよりも多くのシステムモジュールは、１つ又はそれよりも多くのハードウェアモジュール、１つ又はそれよりも多くのソフトウェアモジュール、又はそれらの組み合わせを含む、請求項１に記載の電力管理方法。
【請求項１３】
前記１つ又はそれよりも多くのハードウェアモジュールは、プロセッサ又は処理装置、照明装置、通信装置、画像捕捉装置、画像感知装置、感知装置、記憶装置、及びディスプレイ装置のうちの少なくとも１つを含む、請求項１２に記載の電力管理方法。
【請求項１４】
前記１つ又はそれよりも多くのソフトウェアモジュールは、前記１つ又はそれよりも多くのハードウェアモジュールによって実行され、且つ／或いは前記ハードウェアモジュールのそれぞれの動作を制御する、請求項１２に記載の電力管理方法。
【請求項１５】
前記電力提供装置によってもたらされる電圧が所定の範囲内にあるか否かを検出すること、及び
前記電力提供装置によってもたらされる電圧が前記所定の範囲内にあるという検出に応答して前記ステップ（ａ）乃至（ｄ）を開始させることを更に含む、
請求項１に記載の電力管理方法。
【請求項１６】
前記ステップ（ｄ）は、
前記１つ又はそれよりも多くのシステムモジュールのために、或いは前記システム情報に従って前記１つ又はそれよりも多くのシステムモジュールによって生成される１つ又はそれよりも多くのリクエストと関連付けられる１つ又はそれよりも多くのタスクのために、１つ又はそれよりも多くのそれぞれの電力量をそれぞれ生成することを含む、
請求項１に記載の電力管理方法。
【請求項１７】
前記システム情報は、前記１つ又はそれよりも多くのシステムモジュールによって生成される１つ又はそれよりも多くのそれぞれのリクエストについての実時間システム動作情報を含み、
前記前記システム情報及び前記利用可能な電力量に従って前記１つ又はそれよりも多くのシステムモジュールのために１つ又はそれよりも多くのそれぞれの電力量を生成するステップは、
前記１つ又はそれよりも多くのシステムモジュールによって生成される前記１つ又はそれよりも多くのそれぞれの実時間要件に従って総システム実時間要件を取得すること、及び
前記１つ又はそれよりも多くのシステムモジュールのために、或いは前記利用可能な電力量によって前記１つ又はそれよりも多くのシステムモジュールによって生成される１つ又はそれよりも多くのリクエスト及び前記総システム実時間要件と前記１つ又はそれよりも多くのシステムモジュールの各システムモジュールの前記１つ又はそれよりも多くのそれぞれのリクエストとの間の比率と関連付けられる１つ又はそれよりも多くのタスクのために、前記それぞれの電力量を生成することを含む、
請求項１６に記載の電力管理方法。
【請求項１８】
電力提供装置と１つ又はそれよりも多くのシステムモジュールとを含む電子システムに適用される電力管理方法であって、
（ａ）前記電力提供装置の総電力量を決定すること、
（ｂ）前記電子システムのシステム情報を取得すること、
（ｃ）前記総電力量及び前記システム情報に従って、利用可能な電力量を決定すること、及び
（ｄ）前記システム情報によって示される前記１つ又はそれよりも多くのシステムモジュールの１つ又はそれよりも多くのそれぞれの実時間動作条件／要件に従って、前記利用可能な電力量を前記１つ又はそれよりも多くのシステムモジュールに割り当てることを含む、
電力管理方法。
【請求項１９】
前記ステップ（ｄ）は、
前記１つ又はそれよりも多くのシステムモジュールのために、或いは前記システム情報及び前記利用可能な電力量に従って前記１つ又はそれよりも多くのシステムモジュールによって生成される１つ又はそれよりも多くのリクエストと関連付けられる１つ又はそれよりも多くのタスクのために、それぞれ、１つ又はそれよりも多くのそれぞれの電力量を生成することを含む、
請求項１８に記載の電力管理方法。
【請求項２０】
前記システム情報は、前記電力提供装置のエージング状態を示す少なくとも１つの要因を含み、前記ステップ（ｃ）は、前記電力提供装置の前記エージング状態を示す前記少なくとも１つの要因及び少なくとも前記総電力量に従って、利用可能な電力量を決定することを含む、請求項１８に記載の電力管理方法。
【請求項２１】
電力提供装置と１つ又はそれよりも多くのシステムモジュールとを含む電子システムに適用される電力管理方法であって、
（ａ）前記電力提供装置の総電力量を決定すること、
（ｂ）前記電力提供装置のエージング状態を示す少なくとも１つの要因を取得すること、
（ｃ）前記電力提供装置のエージングを示す前記少なくとも１つの要因及び前記総電力量に従って利用可能な電力量を決定すること、及び
（ｄ）前記利用可能な電力量を前記１つ又はそれよりも多くのシステムモジュールに割り当てることを含む、
電力管理方法。
【請求項２２】
少なくとも１つのバッテリを含む電力提供装置と、
１つ又はそれよりも多くのシステムモジュールと、
前記電力提供装置の総電力量を決定して、電子システムのシステム情報を取得し、前記総電力量及び前記システム情報に従って利用可能な電力量を決定し、且つ前記システム情報に従って前記利用可能な電力量を前記１つ又はそれよりも多くのシステムモジュールに割り当てるように構成される、電力管理モジュールとを含む、
電力供給システム。
【請求項２３】
前記システム情報は、電流漏れ情報及び固定リソース量情報の一方又は両方を含み、前記総電力量及び前記システム情報に従って利用可能な電力量を決定するステップは、前記総電力量と前記電流漏れ情報及び前記固定リソース量情報の一方又は両方とに従って前記利用可能な電力量を決定することを含む、請求項２２に記載の電力供給システム。
【請求項２４】
前記システム情報は、前記１つ又はそれよりも多くのシステムモジュールの１つ又はそれよりも多くのそれぞれの実時間動作条件／要件についての実時間システム動作情報を含み、前記利用可能な電力量を前記１つ又はそれよりも多くのシステムモジュールに割り当てるステップは、前記実時間システム要件情報に従って、前記利用可能な電力量を前記１つ又はそれよりも多くのシステムモジュールに割り当てることを含む、請求項２２に記載の電力供給システム。
【請求項２５】
前記実時間システム要件情報は、前記１つ又はそれよりも多くのシステムモジュールの１つ又はそれよりも多くの実時間動作状態及び１つ又はそれよりも多くの予測動作状態の一方又は両方を含む、請求項２４に記載の電力供給システム。
【請求項２６】
前記実時間システム要件情報は、前記１つ又はそれよりも多くのシステムモジュールによって既に生成された１つ又はそれよりも多くのリクエスト及び所定の時間期間内に前記１つ又はそれよりも多くのシステムモジュールによって生成される１つ又はそれよりも多くのリクエストの一方又は両方についての情報を含む、請求項２４に記載の電力供給システム。
【請求項２７】
前記実時間システム動作情報は、前記１つ又はそれよりも多くのシステムモジュールによって処理されている１つ又はそれよりも多くのタスク及び所定の時間期間内に前記１つ又はそれよりも多くのシステムモジュールによって処理される１つ又はそれよりも多くのタスクの一方又は両方を含む、請求項２４に記載の電力供給システム。
【請求項２８】
前記電力提供装置の総電力量を決定するステップは、
前記少なくとも１つのバッテリがもたらし得る最大電圧に少なくとも従って前記総電力量を決定することを含む、
請求項２２に記載の電力供給システム。
【請求項２９】
前記電力提供装置の総電力量を決定するステップは、
前記少なくとも１つのバッテリがもたらし得る前記最大電圧に従って、更に、前記少なくとも１つのバッテリのエージング状態を示す少なくとも１つの要因に従って、前記総電力量を決定することを含む、
請求項２８に記載の電力供給システム。
【請求項３０】
エージング状態を示す前記少なくとも１つの要因は、前記少なくとも１つのバッテリのインピーダンスを含む、請求項２９に記載の電力供給システム。
【請求項３１】
前記電力提供装置の総電力量を決定するステップは、
前記少なくとも１つのバッテリがもたらし得る最大電力及び前記少なくとも１つのバッテリのエージング状態を示す前記少なくとも１つの要因に従って、更に、所定の閾電圧レベルに従って、前記総電力量を決定することを含む、
請求項３０に記載の電力供給システム。
【請求項３２】
前記電力提供装置の総電力量を決定するステップは、
前記少なくとも１つのバッテリのエージング状態を示す少なくとも１つの要因に従って前記総電力量を決定することを含む、
請求項２２に記載の電力供給システム。
【請求項３３】
前記１つ又はそれよりも多くのシステムモジュールは、１つ又はそれよりも多くのハードウェアモジュール、１つ又はそれよりも多くのソフトウェアモジュール、又はそれらの組み合わせを含む、請求項２２に記載の電力供給システム。
【請求項３４】
前記１つ又はそれよりも多くのハードウェアモジュールは、プロセッサ又は処理装置、照明装置、通信装置、画像捕捉装置、画像処理装置、感知装置、記憶装置、及びディスプレイ装置のうちの少なくとも１つを含む、請求項３３に記載の電力供給システム。
【請求項３５】
前記１つ又はそれよりも多くのソフトウェアモジュールは、前記１つ又はそれよりも多くのハードウェアモジュールによって実行され、且つ／或いは前記ハードウェアモジュールのそれぞれの動作を制御する、請求項３３に記載の電力供給システム。
【請求項３６】
前記電力管理モジュールは、前記電力提供装置によってもたらされる電圧が所定の範囲内にあるか否かを更に検出し、前記電力提供装置によってもたらされる電圧が前記所定の範囲内にあるという検出に応答して前記電力管理モジュールの動作を開始させる、請求項２２に記載の電力供給システム。
【請求項３７】
前記利用可能な電力量を前記１つ又はそれよりも多くのシステムモジュールに割り当てるステップは、
前記１つ又はそれよりも多くのシステムモジュールのために、或いは前記システム情報に従って前記１つ又はそれよりも多くのシステムモジュールによって生成される１つ又はそれよりも多くのリクエストと関連付けられる１つ又はそれよりも多くのタスクのために、それぞれ、１つ又はそれよりも多くのそれぞれの電力量を生成することを含む、
請求項２２に記載の電力供給システム。
【請求項３８】
前記システム情報は、前記１つ又はそれよりも多くのシステムモジュールによって生成される１つ又はそれよりも多くのそれぞれのリクエストについての実時間システム動作情報を含み、
前記システム情報及び前記利用可能な電力量に従って前記１つ又はそれよりも多くのシステムモジュールのための１つ又はそれよりも多くのそれぞれの電力量を生成するステップは、
前記１つ又はそれよりも多くのシステムモジュールによって生成される前記１つ又はそれよりも多くのそれぞれの実時間リクエストに従って総システム実時間要件を取得すること、及び
前記１つ又はそれよりも多くのシステムモジュールの各々のために、或いは前記利用可能な電力量によって前記１つ又はそれよりも多くのシステムモジュールによって生成される１つ又はそれよりも多くのリクエスト及び前記総システム実時間要件と前記１つ又はそれよりも多くのシステムモジュールの各システムモジュールの前記１つ又はそれよりも多くのそれぞれのリクエストとの間の比率と関連付けられる１つ又はそれよりも多くのタスクのために、前記それぞれの電力量を生成することを含む、
請求項３７に記載の電力供給システム。
【請求項３９】
少なくとも１つのバッテリを含む電力提供装置と、
１つ又はそれよりも多くのシステムモジュールと、
前記電力提供装置の総電力量を決定して、電子システムのシステム情報を取得し、前記総電力量及び前記システム情報に従って利用可能な電力量を決定し、且つ前記システム情報によって示される前記１つ又はそれよりも多くのシステムモジュールの１つ又はそれよりも多くのそれぞれの実時間動作条件／要件に従って、前記利用可能な電力量を前記１つ又はそれよりも多くのシステムモジュールに割り当てるように構成される、電力管理モジュールとを含む、
電力供給システム。
【請求項４０】
前記利用可能な電力量を前記１つ又はそれよりも多くのシステムモジュールに割り当てるステップは、
前記１つ又はそれよりも多くのシステムモジュールのために、或いは前記システム情報及び前記利用可能な電力量に従って前記１つ又はそれよりも多くのシステムモジュールによって生成される１つ又はそれよりも多くのリクエストと関連付けられる１つ又はそれよりも多くのタスクのために、それぞれ、１つ又はそれよりも多くのそれぞれの電力量を生成することを含む、
請求項３９に記載の電力供給システム。
【請求項４１】
前記システム情報は、前記電力提供装置のエージング状態を示す少なくとも１つの要因を含み、前記総電力量及び前記システム情報に従って利用可能な電力量を決定するステップは、前記電力提供装置の前記エージング状態を示す前記少なくとも１つの要因及び少なくとも前記総電力量に従って利用可能な電力量を決定することを含む、請求項３９に記載の電力供給システム。
【請求項４２】
少なくとも１つのバッテリを含む電力提供装置と、
１つ又はそれよりも多くのシステムモジュールと、
前記電力提供装置の総電力量を決定して、前記電力提供装置のエージング状態を示す少なくとも１つの要因を取得し、前記総電力量と前記電力提供装置のエージング状態を示す少なくとも１つの要因とに従って利用可能な電力量を決定し、且つ前記利用可能な電力量を前記１つ又はそれよりも多くのシステムモジュールに割り当てるように構成される、電力管理モジュールとを含む、
電力供給システム。
【発明の詳細な説明】
【技術分野】
【０００１】
米国仮出願及び先出願の全文をここに参照として援用する。
【背景技術】
【０００２】
従来的には、携帯電話、ラップトップ又はタブレットＰＣのような、ポータブル電子システム（持ち運びできる電子システム）は、電力を提供するバッテリを含む。しかしながら、バッテリ電圧が電力閾値よりも低いならば、ポータブル電子システムは、パワーセービングモード（電力節約モード）に入る。
【０００３】
図１は、従来的なポータブル電子システムを例示するブロック図である。図１に例示するように、ポータブル電子システム１００は、バッテリＢと、１つ又はそれよりも多くのシステムモジュールＳＭ＿１、ＳＭ＿２、ＳＭ＿３．．．とを含む。システムモジュールは、電子システム内に設けられる任意の装置（デバイス）、例えば、ＣＰＵ（中央処理装置）、ＧＰＵ（グラフィックス処理装置）又はフラッシュライトであり得る。バッテリ電圧が電力閾値よりも高いならば、全てのシステムモジュールＳＭ＿１、ＳＭ２、ＳＭ＿３は普通に作動する。バッテリ電圧が電力閾値よりも低いならば、全てのシステムモジュールＳＭ＿１、ＳＭ２、ＳＭ＿３についてのパフォーマンスは減少させられて、電力を節約する。
【０００４】
しかしながら、すべてのシステムモジュールについてのパフォーマンスが減少させられるので、ユーザ（使用者）は、ポータブル電子システムを使用する間に滑らかでないように感じることがある。また、ポータブル電子システムがパワーセービングモードにあるとき、システムモジュールは異なる電力を必要とすることがあり、よって、従来的な電力管理方法は理想的でない。
【先行技術文献】
【特許文献】
【０００５】
【特許文献１】中国特許出願公開第１３９８１３３号明細書
【特許文献２】中国特許出願公開第１０１１２０６１８号明細書
【特許文献３】米国特許出願公開第２００１／０００５６８６号明細書
【特許文献４】特開平１１−２８２０６２号公報
【特許文献５】国際公開第ＷＯ９６／３８７６２号
【特許文献６】国際出願第ＰＣＴ／ＣＮ２０１５／０７６５２５号
【発明の概要】
【発明が解決しようとする課題】
【０００６】
本出願の１つの目的は、電圧に従って電力を割り当て得るのみならず、実際の要求に従っても電力を割り当て得る、電力管理方法を提供することである。
【０００７】
本出願の他の目的は、電圧に従って電力を割り当て得るのみならず、実際の要求に従っても電力を割り当て得る、電力供給システムを提供することである。
【課題を解決するための手段】
【０００８】
本出願の１つの実施態様は、電力提供装置と１つ又はそれよりも多くのシステムモジュールとを含む電子システムに適用される電力管理方法を提供し、電力提供装置は、少なくとも１つのバッテリを含む。方法は、（ａ）電力提供装置の総電力量を決定すること、（ｂ）電子システムのシステム情報を取得すること、（ｃ）総電力量及びシステム情報に従って利用可能な電力量を決定すること、及び（ｄ）システム情報に従って、利用可能な電力量を１つ又はそれよりも多くのシステムモジュールに割り当てることを含む。
【０００９】
本出願の他の実施態様は、電力提供装置と１つ又はそれよりも多くのシステムモジュールとを含む電子システムに適用される電力管理方法を提供する。方法は、（ａ）電力提供装置の総電力量を決定すること、（ｂ）電子システムのシステム情報を取得すること、（ｃ）総電力量及びシステム情報に従って利用可能な電力量を決定すること、及び（ｄ）システム情報によって示される１つ又はそれよりも多くのシステムモジュールの１つ又はそれよりも多くのそれぞれの実時間動作条件／要件に従って、利用可能な電力量を１つ又はそれよりも多くのシステムモジュールに割り当てることを含む。
【００１０】
本出願の更に他の実施態様は、電力提供装置と１つ又はそれよりも多くのシステムモジュールとを含む電子システムに適用される、電力管理方法を提供する。当該方法は、（ａ）電力提供装置の総電力量を決定すること、（ｂ）電力提供装置のエージング状態を示す少なくとも１つの要因を取得すること、（ｃ）電力提供装置のエージングを示す少なくとも１つの要因及び総電力量に従って利用可能な電力量を決定すること、及び（ｄ）利用可能な電力量を１つ又はそれよりも多くのシステムモジュールに割り当てることを含む。
【００１１】
本出願の１つの実施態様は、電力提供装置と、１つ又はそれよりも多くのシステムモジュールと、電力管理モジュールとを含む、電力供給システムを提供する。電力提供装置は、少なくとも１つのバッテリを含むが、バッテリ以外の他の装置であり得る。電力管理モジュールは、異なる実施態様に対応する上述のステップ（ａ）、（ｂ）、（ｃ）、（ｄ）をそれぞれ行うように提供される。電力供給システムの動作を上述の実施態様に基づき理解し得る。よって、ここでは、簡潔性のために、それらを省略する。
【００１２】
上述の実施態様に鑑みれば、電力割当てを最適化し得る。また、電子システムは、電力提供装置の電圧が低いとしても、その性能を減少させずに動作し得る。何故ならば、本出願によって提供される電力管理方法は、電力提供装置の電圧を参照するのみならず、他のシステム情報も参照するからである。
【００１３】
本発明のこれらの及び他の目的は、様々な図面及び図中に例示する好適な実施態様の以下の詳細な記載を判読した後、当業者に疑義なく明らかになるであろう。
【図面の簡単な説明】
【００１４】
【図１】従来的なポータブル電子システムを示すブロック図である。
【００１５】
【図２】本出願の１つの実施態様に従った電子システムを示すブロック図である。
【００１６】
【図３】本出願の１つの実施態様に従った電力管理方法を示すフローチャートである。
【００１７】
【図４】総電力量と利用可能な電力量とシステム情報との間の関係を要約する概略図である。
【００１８】
【図５】本出願の１つの実施態様に従った電力管理方法のための詳細なステップを示すフローチャートである。
【００１９】
【図６】本出願の他の実施態様に従った電力管理方法を示すフローチャートである。
【００２０】
【図７】本出願の他の実施態様に従った電力管理方法を示すフローチャートである。
【発明を実施するための形態】
【００２１】
以下の記述では、本出願の着想を説明するために、幾つかの実施態様を提供する。これらの実施態様は例示に過ぎず、本出願の範囲を限定することを意味しないことが理解されよう。
【００２２】
図２は、本出願の１つの実施態様に従った電子システムを示すブロック図である。図２に例示するように、電子システム２００は、電力供給システム２０１と、１つ又はそれよりも多くのシステムモジュールＳＭ＿１、ＳＭ＿２．．．ＳＭ＿ｎとを含む。電力供給システム２０１は、電力提供装置２０３と、電力管理モジュール２０５とを含む。電子システム２００は、ポータブル電子システム（持ち運びできる電子システム）又は非ポータブル電子システム（持ち運びできない電子システム）であり得る。ハードウェア（例えば、回路）又はファームウェアを備えるハードウェア（例えば、処理装置）によって電力管理モジュール２０５を実施し得る。この実施態様において、電力提供装置２０３は、少なくとも１つのバッテリを含む。しかしながら、電力提供装置２０３は、他の実施態様において、変圧器のような他の装置であり得る。システムモジュールＳＭ＿１、ＳＭ＿２．．．ＳＭ＿ｎは、電子システム中に設けられる任意の装置であり得る。図２の実施態様では３つのシステムモジュールを例示しているが、システムモジュールについての数は任意の他の値（例えば、１、２、４、５．．．）であり得る。
【００２３】
１つの実施態様において、システムモジュールは、１つ又はそれよりも多くのハードウェアモジュール、１つ又はそれよりも多くのソフトウェアモジュール、又はそれらの組み合わせを含む。ハードウェアモジュールは、例えば、プロセッサ又は処理装置（例えば、ＣＰＵ）、照明装置（例えば、カメラフラッシュライト）、通信装置（例えば、モデム）、画像キャプチャリング装置（画像捕捉装置）（例えば、画像スキャナ）、画像処理装置（例えば、ＧＰＵ）、感知装置（例えば、Ｇセンサ又はタッチ検出装置）、記憶装置、ディスプレイ装置のうちの少なくとも１つを含む。１つ又はそれよりも多くのソフトウェアモジュールを１つ又はそれよりも多くのハードウェアモジュールによって実行し得るし、且つ／或いは１つ又はそれよりも多くのソフトウェアモジュールはハードウェアモジュールのそれぞれの動作を制御し得る。
【００２４】
図３は、本出願の１つの実施態様に従った電力管理方法を示すフローチャートである。本出願の着想をより明確に理解するために、図２及び図３の両方を参照のこと。図３中の方法は、以下のステップを含む。
【００２５】
（ステップ３０１）
【００２６】
電力管理モジュール２０５は、電力提供装置２０３の総電力量ＴＰＢ（総電力バジェット）を決定する。
【００２７】
（ステップ３０３）
【００２８】
電力管理モジュール２０５は、電子システム２００のシステム情報ＳＩを取得する。
【００２９】
システム情報をシステムモジュールの実時間動作状態又は予測動作状態に基づき計算し得るし、格納情報（例えば、電子システム内に格納される表）から入手し得るし、或いはそれらの組み合わせであり得る。
【００３０】
（ステップ３０５）
【００３１】
電力管理モジュール２０５は、総電力量ＴＰＢ及びシステム情報ＳＩの少なくとも一部に従って利用可能な電力量（利用可能な電力バジェット）を決定する。
【００３２】
（ステップ３０７）
【００３３】
電力管理モジュール２０５は、システム情報ＳＩの少なくとも一部に従って、利用可能な電力量を、１つ又はそれよりも多くのシステムモジュールＳＭ＿１、ＳＭ＿２．．．ＳＭ＿ｎに割り当てる。
【００３４】
１つの実施態様において、図３中のステップ３０１−３０７は、電子システムが特定の条件を満足するときに開始させられる。例えば、電子システムは、電力提供装置によって提供される電圧が所定の範囲内にあるか否かを検出する検出ステップを行う。また、ステップ３０１−３０７は、電力提供装置によって提供される電圧が所定の範囲内にあるかの決定に応答して開始させられる。代替的に、他の実施態様において、ステップ３０１−３０７は、何らかの事前設定されたタイミングで開始させられる。更に他の実施態様において、ステップ３０１−３０７は、電子システムがトリガ命令を受信する間に開始させられる。
【００３５】
総電力量ＴＰＢ、システム情報ＳＩ、及び利用可能な電力量の定義を以下に記載する。また、利用可能な電力量を１つ又はそれよりも多くのシステムモジュールに割り当てる動作の詳細も以下の記述中に記載する。
【００３６】
１つの実施態様において、システム情報ＳＩは、電流漏れ情報及び固定リソース量情報（固定リソースバジェット情報）の一方又は両方を含む。そのような実施態様において、図３のステップ３０３は、総電力量ＴＰＢと電流漏れ情報及び固定リソース量情報の一方又は両方とに従って利用可能な電力量を決定することを含む。１つの実施態様では、そのような動作を以下の方程式（１）に示すように行い得る。
利用可能な電力量＝
総電力量−（電流漏れ情報及び／又は固定リソース量情報）    方程式（１）
【００３７】
１つの実施態様において、電流漏れ情報は、現在作動しており、故に、動的に変化し得る、１つ又はそれよりも多くのシステムモジュールＳＭ＿１−ＳＭ＿３についての漏れを示す。例えば、１つ又はそれよりも多くのシステムモジュールは、ＣＰＵ及びＧＰＵを含む。ＣＰＵは、それが作動している間に、ｘ  ｍＷの漏れを有する。ＧＰＵは、それが作動している間に、ｙ  ｍＷの漏れを有する。１つの状況において、電流漏れ情報は、ＣＰＵが現在作動しているときに、ＣＰＵについてｘ  ｍＷの値を示す。他の状況において、電流漏れ情報は、ＧＰＵが現在作動しているときに、ＧＰＵについて、ｙ  ｍＷの値を示す。更に他の状況において、電流漏れ情報は、ＣＰＵ及びＧＰＵが両方とも現在作動しているときに、ＣＰＵについて、ｙ  ｍＷの値を加えた、ｘ  ｍＷの値を示す。１つの実施態様において、電流漏れ情報は、システムモジュールが現在作動していないときでさえも、例えば、待機又は低電力モードにおいて、システムモジュールについての漏れを示し得る。１つの実施態様において、含んでいるシステムモジュールは、電子システムの内部にあるシステムモジュールのみを含むことも記す。代替的な実施態様において、含んでいるシステムは、電子システムの内部にあるシステムモジュールのみならず、電子システムの外部にあるシステムモジュールをも含む。１つの実施態様において、ＣＰＵについての漏れをルックアップ表に参照し得るし、或いはソフトウェア又はハードウェア又はそれらの組み合わせの形態によって実施される任意のフォーミュラによって計算し得る。例えば、システムについての漏れを、動作電圧、動作電流、温度、及び（ＣＰＵケースのための）多数のアクティブコア(active  core)に従って決定し得る。
【００３８】
固定リソース量情報は、システムが占める或いは占めることが想定される電力量を示す。例えば、通信装置（例えば、モデム）がアクティブ化され、アクティブ化され続けるためにＰ  ｍＷを必要とする。そのような場合、固定リソース量情報は、Ｐ  ｍＷである。代替的に、他の実施態様において、通信装置はアクティブ化され、アクティブ化され続けるためにＰ  ｍＷを必要とし、タスク／リクエストを処理するために更にＱ  ｍＷを占めることが想定される。そのような実施態様において、固定リソース量情報は、Ｐ＋Ｑ  ｍＷである。
【００３９】
より詳細には、上述のシステム情報ＳＩは、１つ又はそれよりも多くのシステムモジュールの１つ又はそれよりも多くのそれぞれの実時間動作状態／要件についての実時間システム動作情報を含む。これは図３のステップ３０７が利用可能な電力量を実時間システム動作情報に従って１つ又はそれよりも多くのシステムモジュールに割り当てることを含み得ることも意味する。１つの実施態様において、実時間システム動作情報は、１つ又はそれよりも多くの実時間動作状態（例えば、システムモジュールが既に占めている電力）及び１つ又はそれよりも多くのシステムモジュールの１つ又はそれよりも多くの予測される動作状態（例えば、システムモジュールが占めると予測される電力）の一方又は両方を含む。１つの実施態様において、１つ又はそれよりも多くの実時間動作状態は、１つ又はそれよりも多くのシステムモジュールが既に生成した１つ又はそれよりも多くのリクエストによって決定され、且つ／或いは、予測される動作状態は、１つ又はそれよりも多くのシステムモジュールが所定の時間期間内に生成する１つ又はそれよりも多くのリクエストによって決定される。他の実施態様において、１つ又はそれよりも多くの実時間動作状態は、１つ又はそれよりも多くのシステムモジュールによって処理される１つ又はそれよりも多くのタスクによって決定され、且つ／或いは、予測される動作状態は、所定の時間期間内に１つ又はそれよりも多くのシステムモジュールによって処理される１つ又はそれよりも多くのタスクによって決定される。
【００４０】
総電力量に関して、それは電子システムにもたらし得る総電力を示す。電力提供装置２０３によって供給される電圧によって総電力量を決定してよい。しかしながら、総電力量は電力提供装置２０３のエージング（老化）の故に異なる場合もある。１つの実施態様において、総電力量は以下の方程式（２）乃至（４）によって決定される。
総電力量＝Ｉｍａｘ＊ＶＢＡＴ                              方程式（２）
Ｉｍａｘ＝（ＶＢＡＴ−Ｖｍｉｎ）／Ｒｔｏｔａｌ            方程式（３）
Ｒｔｏｔａｌ＝Ｒｐｃｂ＋Ｒａｃ                            方程式（４）
【００４１】
ＶＢＡＴは、実時間最大バッテリ電圧を示す。Ｖｍｉｎは、閾値外値(off  threshold  value)を示す。換言すれば、バッテリ電圧がＶｍｉｎよりも低いならば、電子システムの電源は切られる。Ｒｐｃｂは、電子システムのインピーダンスを示し、例えば、それは回路板のインピーダンスを示す。Ｒａｃは、バッテリのインピーダンスを示す。
【００４２】
上述の方程式（２）乃至（４）に鑑みれば、１つの実施態様において、図３のステップ３０１は、少なくとも１つのバッテリが提供し得る最大バッテリ電圧（例えば、ＶＢＡＴ）に従った総電力量を決定する。他の実施態様において、図３のステップ３０１は、少なくとも１つのバッテリのエージング状態を示す少なくとも１つの要因(factor)に更に従って総電力量を決定する。例えば、上述の方程式（４）のＲａｃは、バッテリのエージング状態を示す要因である。バッテリのインピーダンスは、バッテリのエージングによって決定されることに限定されず、バッテリの種類によって決定され得ることに留意のこと。例えば、低品質のバッテリは、それが新しいとしても、高いインピーダンスを有することがある。逆に、高品質のバッテリは、そのエージングが古いとしても、低いインピーダンスを有することがある。
【００４３】
他の実施態様において、図３のステップ３０１は、少なくとも１つのバッテリが提供し得る最大バッテリ電圧に従って、少なくとも１つのバッテリのエージング状態を示す要因に従って、更には、異なる要件を満足するよう任意の方程式又はアルゴリズムを用いることによって、所定の閾電圧レベル（例えば、非限定的にＶｍｉｎ）に従って、総電力量を依然として決定し得ることを記す。
【００４４】
更に、総電力量を決定するステップは上述の組み合わせに限定されないことを記す。代替的に、更なる他の実施態様において、総電力量を決定するステップは、少なくとも１つのバッテリが提供し得る最大バッテリ電圧に従って決定しないが、少なくとも１つのバッテリのエージング状態を示す要因に従って依然として決定する。
【００４５】
図４は、総電力量と利用可能な電力量とシステム情報との間の関係を要約する概略図である。図４は理解の便宜のためだけであり、本出願の範囲を限定することを意図しないことに留意のこと。
【００４６】
図４において、ブロック４０１、４０３、４０５、４０７、及び４０９は、異なる電力量を示す。また、ブロック４０１＿１、４０７＿１、及び４０９＿１は、異なる電力量を決定するために適用される要因を示す。例えば、ブロック４０１＿１中に例示する要因によって総電力量４０１を決定し得る。即ち、最大バッテリ電圧、バッテリについてのエージング状態、電子システム及び／又はバッテリについてのインピーダンス、並びに所定の閾電圧レベルのうちの少なくとも１つによって、総電力量４０１を決定し得る。総電力量４０１を利用可能な電力量４０３とシステム要求量４０５（システム要求バジェット）とに分離し得る。従って、システム要求量４０１がシステム情報（例えば、図２中のＳＩ）に基づき得られるならば、利用可能な電力量４０２を取得し得る。
【００４７】
システム要求量４０１は、電流漏れ量４０７（電流漏れバジェット）及び固定リソース量４０９のうちの少なくとも１つを含み得る。電流漏れ情報に基づき電流漏れ量４０７を決定し得る。電流漏れ情報は、例えば、ブロック４０７＿１に例示するシステムモジュールについての漏れを含み得る。固定リソース量情報に基づき固定リソース量４０９を決定し得る。固定リソース量情報は、例えばブロック４０９＿１に例示する、実時間動作状態及び予測時間動作状態のうちの少なくとも１つを含み得る。システムモジュールが既に処理した（或いは処理している）タスク又はシステムモジュールが既に生成した（或いは生成している）リクエストによって実時間動作状態を決定し得る。また、システムモジュールが所定の時間期間内に処理するであろうタスク又はシステムモジュールが所定の時間期間内に生成するリクエストによって予測時間動作状態を決定し得る。
【００４８】
利用可能な電力量を取得した後、図２の電力管理モジュール２０５は、電力量をシステムモジュールに割り当て得る。換言すれば、それぞれの電力量を１つ又はそれよりも多くのシステムモジュールに提供し得る。それぞれの電力量をシステム情報に基づき決定し得る。１つの実施態様において、電力管理モジュール２０５は、特定のルールに基づき電力量をシステムモジュールに割り当て得る。例えば、利用可能な電力量がシステムモジュールのあらゆる要求を満足するのに十分であると想定すると、ＧＰＵがアクティブ化されるならば、電力管理モジュール２０５は電力量Ｐ＿１をＧＰＵに割り当てる。他の実施態様において、電力管理モジュール２０５は、システムモジュールに実行されるタスク及び／又はシステムモジュールによって生成されるリクエストに更に従って、利用可能な電力量をシステムモジュールに割り当てる。例えば、利用可能な電力量がシステムモジュールのあらゆる要求を満足するのに十分であると想定すると、ＧＰＵがタスクＴ＿１を処理しているならば、電力量Ｐ＿２をＧＰＵに割り当てる。他の実施態様において、ＧＰＵは、タスクＴ＿１を処理した後に、タスクＴ＿２を更に処理し、よって、電力量Ｐ＿２の他に電力量Ｐ＿３をＧＰＵに割り当てる。他の実施態様では、利用可能な電力量がシステムモジュールのあらゆる要求を満足するのに十分であると想定すると、ＧＰＵがアクティブ化されるならば、電力量Ｐ＿１を割り当て、ＧＰＵがリクエストＲ１を生成するならば、電力量Ｐ＿２を更に割り当てる。他の実施態様において、ＧＰＵは、リクエストＲ１を生成した後に、リクエストＲ２を更に生成し、よって、電力量Ｐ＿１及びＰ＿２の他に電力量Ｐ＿３をＧＰＵに割り当てる。
【００４９】
１つの実施態様において、上述の電力量Ｐ＿１、Ｐ＿２、Ｐ＿３は、特定の量の電力を示し得る。他の実施態様において、上述の電力量Ｐ＿１、Ｐ＿２、Ｐ＿３と、利用可能な電力量との間の関係は、特定の比率にある。
【００５０】
多くの方法を適用して後続の時間期間内のタスク又はリクエストを予測し得る。例えば、制御装置を適用してＧＰＵの動作を制御する。従って、制御装置は、ＧＰＵが後続の時間期間内に処理するタスク又はＧＰＵが後続の時間期間内に生成するリクエストを知り得る。この予測方法は説明のための実施例に過ぎず、本出願の範囲を限定することを意図しないことが理解されよう。
【００５１】
上述のステップを単独で又は組み合わせにおいて適用し得る。従って、上述の実施態様に鑑みれば、図３のステップ３０７は、１つ又はそれよりも多くのシステムモジュールのために、１つ又はそれよりも多くのタスク（例えば、Ｔ＿１、Ｔ＿２）のために、或いはシステム情報に従って１つ又はそれよりも多くのシステムモジュールによって生成される１つ又はそれよりも多くのリクエスト（例えば、Ｒ１、Ｒ２）のために、そぞれ、１つ又はそれよりも多くのそれぞれの電力量（例えば、Ｐ＿１、Ｐ＿２、Ｐ＿３）を生成することを更に含み得る。タスクをリクエストに関連付け得る。
【００５２】
他の実施態様において、システム情報ＳＩは、１つ又はそれよりも多くのシステムモジュールによって生成される１つ又はそれよりも多くのそれぞれのリクエスト（例えば、Ｒ１、Ｒ２）についての実時間システム動作情報を含む。
【００５３】
以下の方程式（５）及び（６）は、利用可能な電力量を割り当てるための実施例である。
多数(Multiple)＝［利用可能な電力量／（タスク＿１ｒｐ＋タスク＿２ｒｐ．．．＋タスク_ｎｒｐ）］                                        方程式（５）
タスク＿ｎａｐ＝タスク＿ｎｒｐ*多数(Multiple)            方程式（６）
【００５４】
タスク＿１ｒｐ、タスク＿２ｒｐ．．．は、タスクのために初期的に要求される電力量を示す。また、タスク＿ｎａｐは、タスクに実際に割り当てられる電力量を示す。例えば、ＣＰＵはタスク＿１を有し、タスク＿１について１２００ｍＷを要求する。また、通信装置はタスク＿２を有し、タスク＿２について８００ｍＷを要求する。そのような場合、タスク＿１ｒｐ＝１２００ｍＷであり、タスク＿２＝８００ｍＷである。また、利用可能な電力量は１０００ｍＷである。従って、方程式（５）に基づけば、多数(multiple)＝１０００／（１２００＋８００）＝０．５である。
【００５５】
従って、方程式（６）に基づけば、タスク＿１ａｐ＝１２００*０．５＝６００ｍＷであり、タスク＿２ａｐ＝８００*０．５＝４００ｍＷである。従って、利用可能な電力量は、異なるそれぞれの電力量６００ｍＷ及び４００ｍＷとして、ＣＰＵ及び通信装置に割り当てられる。
【００５６】
方程式（４）及び（５）を適用する実施態様に鑑みれば、システム情報及び利用可能な電力量に従って１つ又はそれよりも多くののシステムモジュールのための１つ又はそれよりも多くのそれぞれの電力量を生成するステップは、１つ又はそれよりも多くのシステムモジュールによって生成される１つ又はそれよりも多くのそれぞれの実時間リクエストに従って総システム実時間要件（例えば、タスク＿１ｒｐ＋タスク＿２ｒｐ．．．＋タスク＿ｎｒｐ）を取得することを更に含み得る。そのような場合、システム情報及び利用可能な電力量に従って１つ又はそれよりも多くのシステムモジュールのための１つ又はそれよりも多くのそれぞれの電力量を生成するステップは、１つ又はそれよりも多くのシステムモジュールの各々のために、或いは利用可能な電力量によって１つ又はそれよりも多くのシステムモジュールによって生成される１つ又はそれよりも多くのリクエスト及び総システム実時間要件と１つ又はそれよりも多くのシステムモジュールの各々のシステムモジュールの１つ又はそれよりも多くのそれぞれのリクエストとの間の比率と関連付けられる１つ又はそれよりも多くのタスクのために、それぞれの電力量を生成することを更に含む。例えば、方程式（５）は、比率「多数(Multiple)」を計算し、電力量は、方程式（６）に示すように、多数(Multiple)によって取得される。
【００５７】
本出願の１つの実施態様に従った電力管理方法のための詳細なステップを例示するフローチャートである図５に上述のステップを要約し得る。図５は理解の便宜のために過ぎず、本出願の範囲を限定することを意図しないことに留意のこと。図５において、システムモジュール１  ＳＭ＿１は、ＣＰＵであり、システムモジュール２  ＳＭ＿２は、ＧＰＵであり、システムモジュールｎ  ＳＭ＿ｎは、電力管理モジュールである。また、図５において、システム情報は、固定リソース量情報及び電流漏れ情報の両方を含む。
【００５８】
図５のフローチャートは、以下のステップを含む。
【００５９】
(ステップ５０１)
【００６０】
電子システムは、待機状態にある。
【００６１】
(ステップ５０３)
【００６２】
いずれかのシステムモジュールがアクティブ化されるか否かを決定する。はい（アクティブ化する）であれば、ステップ５０５に進み、いいえ（アクティブ化しない）であれば、ステップ５０１に戻る。
【００６３】
(ステップ５０５)
【００６４】
固定リソース量情報を更新する。図４に例示するように、システムモジュールの実時間動作状態及び／又は予測時間動作状態によって、固定リソース量情報を決定し得る。
【００６５】
(ステップ５０７)
【００６６】
現時点の漏れ情報を取得する。
【００６７】
(ステップ５０９)
【００６８】
利用可能な電力量を取得し、電力量を割り当てるステップを行う。上述のように、電力量を割り当てるステップを、どのシステムモジュールをアクティブ化するかに基づいてのみ行い得るし、タスク及び／又はリクエストに基づいても行い得る。
【００６９】
図５に例示するように、電力量Ｐ＿１、Ｐ＿２は、それぞれ、システムモジュールＳＭ＿１、ＳＭ＿２に割り当てられる。システムモジュールについての要因を調節することを介して電力量を割り当てるステップを実施し得る。例えば、ＣＰＵ及びＧＰＵの電圧及び周波数が調節される。
【００７０】
上述のように、図２の電力提供装置２０３は、バッテリに限定されない。そのような場合、利用可能な電力量は、実時間動作条件／要件に従って割り当てられる。従って、後続のステップを含む、図６に例示する電力管理方法を取得し得る。
【００７１】
(ステップ６０１)
【００７２】
電力提供装置の総電力量を決定する。
【００７３】
(ステップ６０３)
【００７４】
電子システムのシステム情報を入手する。
【００７５】
(ステップ６０５)
【００７６】
総電力量及びシステム情報に従って利用可能な電力量を決定する。
【００７７】
(ステップ６０７)
【００７８】
システム情報によって示される１つ又はそれよりも多くのシステムモジュールの１つ又はそれよりも多くのそれぞれの実時間動作条件／要件に従って、利用可能な電力量を１つ又はそれよりも多くのシステムモジュールに割り当てる。
【００７９】
上述のように、電力量を割り当てるステップは、タスク及び／又はリクエストに従って利用可能な電力量を割り当て得る。従って、ステップ６０７は、１つ又はそれよりも多くのシステムモジュールのために、或いはシステム情報及び利用可能な電力量に従って１つ又はそれよりも多くのシステムモジュールによって生成される１つ又はそれよりも多くのリクエストと関連付けられる１つ又はそれよりも多くのタスクのために、１つ又はそれよりも多くのそれぞれの電力量を生成することを含み得る。
【００８０】
その他に、電力提供装置についてのエージング状態は、総電力量に影響を及ぼすことがある。例えば、古い電力供給回路が提供し得る総電力量は、新しい電力供給回路が提供し得る総電力よりも小さい。従って、図６の実施態様は、以下を含み得る。即ち、システム情報は、電力提供装置のエージング状態を示す少なくとも１つの要因を含み、ステップ６０５は、電力提供装置のエージング状態を示す少なくとも１つの要因及び少なくとも総電力量に従って利用可能な電力量を決定することを含む。
【００８１】
１つの実施態様において、利用可能な電力量は、電力提供装置のエージング状態に従って決定される。図７は、そのような実施態様を例示するフローチャートであり、以下のステップを含む。
【００８２】
（ステップ７０１）
【００８３】
電力提供装置の総電力量を決定する。
【００８４】
上述のように、電力提供装置は、バッテリ又はバッテリ以外の任意の装置であり得る。
【００８５】
(ステップ７０３)
【００８６】
電力提供装置のエージング状態を示す少なくとも１つの要因を取得する。
【００８７】
図４に例示するように、最大バッテリ電圧、電力提供装置のエージング状態、電子システムのインピーダンス、又は所定の閾電圧レベルのうちの少なくとも１つによって、総電力量を決定し得る。
【００８８】
(ステップ７０５)
【００８９】
電力提供装置のエージング状態を示す少なくとも１つの要因及び総電力量に従って利用可能な電力量を決定する。
【００９０】
(ステップ７０７)
【００９１】
利用可能な電力量を１つ又はそれよりも多くのシステムモジュールに割り当てる。
【００９２】
上述の実施態様に鑑み図７に描写する実施態様についての他の詳細なステップを取得することができ、よって、ここでは、簡潔性のために、それらを省略する。
【００９３】
上述の実施態様に鑑み、電力割当てを最適化し得る。また、電子システムは、電力提供装置の電圧が低くても、その性能を減少させずに作動し得る。何故ならば、本出願によって提供される電力管理方法は、電力提供装置の電圧を参照するのみならず、他のシステム情報も参照するからである。
【００９４】
当業者は、本発明の教示を維持しながら装置及び方法に数多くの変更及び変形を行ってよいことを直ちに観察するであろう。従って、上記開示は、付属の請求項の境界によってのみ限定されるように解釈されなければならない。
【符号の説明】
【００９５】
２００      電子システム  (electronic  system)
２０１      電力供給システム  (power  supplying  system)
２０３      電力提供装置  (power  providing  device)
２０５      電力管理モジュール  (power  managing  module)
３０１      ステップ  (step)
３０３      ステップ  (step)
３０５      ステップ  (step)
３０７      ステップ  (step)
４０１      総電力量  (total  power  budget)
４０１＿１  ブロック  (block)
４０３      利用可能な電力量  (available  power  budget)
４０５      システム要求量  (system  demand  budget)
４０７      電流漏れ量  (current  leakage  budget)
４０７＿１  ブロック  (block)
４０９      固定リソース量  (fixed  resource  budget)
４０９＿１  ブロック  (block)
５０１      ステップ  (step)
５０３      ステップ  (step)
５０５      ステップ  (step)
５０７      ステップ  (step)
５０９      ステップ  (step)
６０１      ステップ  (step)
６０３      ステップ  (step)
６０５      ステップ  (step)
６０７      ステップ  (step)
７０１      ステップ  (step)
７０３      ステップ  (step)
７０５      ステップ  (step)
７０７      ステップ  (step)
Ｂ          バッテリ  (battery)
ＳＩ        システム情報  (system  information)
Ｐ＿１      電力量  (power  budget)
Ｐ＿２      電力量  (power  budget)
Ｐ＿３      電力量  (power  budget)
Ｒ１        リクエスト  (request)
Ｒ２        リクエスト  (request)
Ｔ＿１      タスク  (task)
Ｔ＿２      タスク  (task)
ＳＭ＿１    システムモジュール  (system  module)
ＳＭ＿２    システムモジュール  (system  module)
ＳＭ＿３    システムモジュール  (system  module)
ＳＭ＿ｎ    システムモジュール  (system  module)
【図１】
2016170773.tif 000003
【図２】
2016170773.tif 000004
【図３】
2016170773.tif 000005
【図４】
2016170773.tif 000006
【図５】
2016170773.tif 000007
【図６】
2016170773.tif 000008
【図７】
2016170773.tif 000009